(57)【要約】【課題】空間を適切な湿度にし、効率的に除菌を行なうための除菌方法及び除菌装置を提供する。【解決手段】二流体ノズルＮ１〜Ｎ５に接続された流体供給管４１に、バルブ４７を介して接続される水供給管４５から、水を二流体ノズルＮ１〜Ｎ５に供給して、二流体ノズルＮ１〜Ｎ５から水を噴霧して、部屋を加湿する。更に、流体供給管４１に接続される薬液供給管４６から、薬液を二流体ノズルＮ１〜Ｎ５に供給して、二流体ノズルＮ１〜Ｎ５から薬液を噴霧して、部屋を除菌する。薬液の噴霧後、薬液の噴霧を停止し、その状態を保持する保持処理を実行し、流体供給管４１に残留した薬液を排出するパージ処理を実行する。【選択図】図１
2019088390.tif 000002
【特許請求の範囲】
【請求項１】
除菌に用いる薬液が供給される液体供給管に接続され、気体を用いて前記薬液を噴霧する二流体ノズルを用いて、空間内を除菌する除菌方法において、
前記液体供給管に切替弁を介して接続される加湿用液体供給管から、加湿用液体を前記二流体ノズルに供給して、前記加湿用液体を噴霧して、前記空間内を加湿する加湿段階と、
前記液体供給管に前記切替弁を介して接続される薬液供給管から、前記薬液を前記二流体ノズルに供給して、前記空間内を除菌する除菌段階とを実行することを特徴とする除菌方法。
【請求項２】
前記薬液の噴霧後、前記加湿用液体の噴霧前に、前記液体供給管における薬液を前記空間に排出するパージ段階を更に実行することを特徴とする請求項１に記載の除菌方法。
【請求項３】
前記除菌段階は、
前記二流体ノズルから薬液を噴霧する薬液噴霧段階と、
前記パージ段階における前記空間の相対湿度が基準値以下となるように、前記二流体ノズルからの噴霧を停止する保持段階とを備え、
前記保持段階の後で前記パージ段階を実行することを特徴とする請求項２に記載の除菌方法。
【請求項４】
除菌に用いる薬液が供給される液体供給管に接続され、気体を用いて前記薬液を噴霧する二流体ノズルを備え、空間を除菌する除菌装置において、
前記液体供給管に切替弁を介して接続される加湿用液体供給管及び薬液供給管と、
前記切替弁の切り換えを制御する制御部とを備え、
前記制御部は、
前記加湿用液体供給管から、加湿用液体を前記二流体ノズルに供給して、前記加湿用液体を噴霧して、前記空間内を加湿する加湿制御処理を実行し、
前記薬液供給管から、前記薬液を前記二流体ノズルに供給し、前記空間を除菌する除菌制御処理を実行することを特徴とする除菌装置。
【請求項５】
前記制御部は、前記薬液の噴霧後、前記加湿用液体の噴霧前に、前記液体供給管の薬液を前記空間に排出するパージ処理を実行することを特徴とする請求項４に記載の除菌装置。
【発明の詳細な説明】
【技術分野】
【０００１】
本発明は、加湿及び除菌を行なう除菌方法及び除菌装置に関する。
【背景技術】
【０００２】
食品工場等の食品製造施設や医療・福祉施設の施設内を、殺菌効果がある次亜塩素酸水溶液等の薬品を噴霧することにより、除菌することが検討されている（例えば、特許文献１参照）。この特許文献１には、室内空間内に二流体ノズルから薬液を、噴霧後の相対湿度が７０％以上になるように噴霧することにより、除菌ができることが記載されている。更に、噴霧前の室内空間の相対湿度が低い場合には、加湿器で加湿した上で、薬液を噴霧することが記載されている。
【先行技術文献】
【特許文献】
【０００３】
【特許文献１】特開２０１６−２７８４９号公報
【発明の概要】
【発明が解決しようとする課題】
【０００４】
しかしながら、特許文献１に記載の技術においては、低湿度からの薬液噴霧では、大量に薬液を噴霧する必要があり、結果的に建材の腐食の影響等が懸念される。このため、除菌設備と別に加湿器を設置する必要があり、コストや設置の手間がかかる。
【課題を解決するための手段】
【０００５】
上記課題を解決する除菌方法は、除菌に用いる薬液が供給される液体供給管に接続され、気体を用いて前記薬液を噴霧する二流体ノズルを用いて、空間内を除菌する除菌方法において、前記液体供給管に切替弁を介して接続される加湿用液体供給管から、加湿用液体を前記二流体ノズルに供給して、前記加湿用液体を噴霧して、前記空間内を加湿する加湿段階と、前記液体供給管に前記切替弁を介して接続される薬液供給管から、前記薬液を前記二流体ノズルに供給して、前記空間内を除菌する除菌段階とを実行する。
【発明の効果】
【０００６】
本発明によれば、空間を適切な湿度にし、効率的に除菌を行なうことができる。
【図面の簡単な説明】
【０００７】
【図１】本実施形態における除菌装置の構成を説明する配管図。
【図２】本実施形態における除菌対象の空間内の構成を説明する説明図。
【図３】本実施形態における制御ユニットの構成を説明するブロック図。
【図４】本実施形態の除菌装置における相対湿度と噴霧開始からの時間と相対湿度との関係を説明するグラフ。
【図５】本実施形態における除菌条件を説明する説明図。
【図６】本実施形態における除菌方法を説明する処理手順の流れ図。
【図７】本実施形態の除菌装置における気体及び液体の流れを説明する説明図であって、（ａ）は加湿制御処理、（ｂ）は薬液噴霧処理、（ｃ）はパージ処理を示す。
【発明を実施するための形態】
【０００８】
以下、図１〜図７を用いて除菌装置及び除菌方法を具体化した一実施形態を説明する。
まず、図１を用いて、二流体ノズルＮ１〜Ｎ５を備えた除菌装置３０の構成について説明する。
【０００９】
除菌装置３０は、複数の二流体ノズルＮ１〜Ｎ５、コンプレッサＣ１、空気タンクＴａ１、薬液タンクＴｃ１を備えている。薬液タンクＴｃ１には、部屋の除菌に用いる薬液が貯蔵される。この薬液として、ｐＨが６．５で、次亜塩素酸濃度が１２０ｍｇ／Ｌの薬液を用いる。この薬液は、次亜塩素酸ナトリウム６％を水道水で希釈後、食品添加物３％塩酸を添加してｐＨを調整して生成する。なお、次亜塩素酸ナトリウム６％として、ピューラックス（登録商標）Ｓを用いた。また、水道水：ピューラックスＳ：食塩添加物３％塩酸を６５０：１：１の比率で混合した。
【００１０】
除菌装置３０は、気体供給管３１，３５、気体供給バルブ３６、液体供給管としての流体供給管４１、気体液体切替バルブ４３、接続管４４、水供給管４５、薬液供給管４６、バルブ４７，４８、薬液をバケツ等に排出するための排液バルブ４９を備えている。気体供給管３１及び流体供給管４１の下流側には、それぞれ、二流体ノズルＮ１〜Ｎ５が接続される。
【００１１】
二流体ノズルＮ１〜Ｎ５は、圧縮空気を用いて液体を噴霧状にして噴出する。この二流体ノズルＮ１〜Ｎ５は、圧縮空気の取入部及び液体の取入部を有しており、空気と液体とを混合して、霧状の液体を噴霧口から噴霧する。本実施形態では、二流体ノズルとして、二流体サイフォン式噴霧ノズルを用いている。具体的には、スプレーイングシステムスジャパン株式会社製のクイックフォッガー（商品名）を用いる。また、供給される圧縮空気の空気圧により、二流体ノズルＮ１〜Ｎ５の時間当たりの噴霧液量を制御することができる。本実施形態では、ミスト粒子径が９μｍとなる噴霧口を用いる。そして、各二流体ノズルＮ１〜Ｎ５の取入部には、圧縮空気を供給する気体供給管３１と、噴霧される液体を供給する流体供給管４１とが接続される。
【００１２】
気体供給管３１の下流側は、二流体ノズルＮ１〜Ｎ５に対応して、空気供給バルブＶ１〜Ｖ５のそれぞれとボールバルブとがそれぞれ設けられている。各空気供給バルブＶ１〜Ｖ５は、３方向電磁弁であって、非通電時における二流体ノズルＮ１〜Ｎ５側の外部開放と、通電時における気体供給管３１と各二流体ノズルＮ１〜Ｎ５との接続とを切り替える。
【００１３】
気体供給管３１の上流側は、減圧弁、ミストセパレータ及びボールバルブを介して、空気タンクＴａ１に接続される。空気タンクＴａ１は、ボールバルブを介してコンプレッサＣ１に接続されており、コンプレッサＣ１からの圧力によって、圧縮空気を気体供給管３１に供給する。
【００１４】
気体供給管３１は、減圧弁を介して、気体供給管３５に接続される。気体供給管３５は、気体供給バルブ３６を介して薬液タンクＴｃ１に供給される。気体供給管３５は、気体液体切替バルブ４３を介して、流体供給管４１に接続される。
【００１５】
一方、流体供給管４１は、気体液体切替バルブ４３を介して接続管４４に接続される。
気体液体切替バルブ４３は、３方向電磁弁であって、非通電時における流体供給管４１と気体供給管３５との接続、通電時における流体供給管４１と接続管４４との接続を切り替える。
【００１６】
接続管４４には、加湿用液体供給管としての水供給管４５と、薬液供給管４６とにそれぞれ接続される。水供給管４５は、バルブ４７、逆止弁及び減圧弁を介して、水道管Ｗ１に接続される。本実施形態では、水道管Ｗ１からの水道水を加湿用液体として用いる。
【００１７】
薬液供給管４６は、バルブ４８及びボールバルブを介して、薬液タンクＴｃ１に接続される。バルブ４７，４８は、一方を開放し他方を閉鎖することにより、水道管からの水、又は薬液タンクＴｃ１からの薬液を、接続管４４に供給する切替弁として機能する。
【００１８】
＜二流体ノズルＮ１〜Ｎ５の配置＞
次に、図２を用いて、二流体ノズルＮ１〜Ｎ５の配置を説明する。本実施形態では、部屋Ｒ１，Ｒ２，Ｒ３の空間を除菌する場合を想定する。部屋Ｒ１〜Ｒ３の空間の除菌に用いる薬液を貯蔵した薬液タンクＴｃ１は、部屋Ｒ１〜Ｒ３以外の場所に設置される。
【００１９】
部屋Ｒ１，Ｒ２は、ドアＤ１，Ｄ２を介して外に連通する。部屋Ｒ３は、ドアＤ３，Ｄ４を介して部屋Ｒ１，Ｒ２にそれぞれ連通する。
部屋Ｒ１，Ｒ２の柱の側面には、湿度センサＭ１，Ｍ２がそれぞれ取り付けられている。湿度センサＭ１，Ｍ２は、各部屋Ｒ１，Ｒ２の湿度を検出する。
【００２０】
部屋Ｒ１，Ｒ２のほぼ中央の天井には、火災報知器Ａ１，Ａ２がそれぞれ取り付けられている。各火災報知器Ａ１，Ａ２は、火災の煙を感知する機器であって、煙の粒子に当たった場合の光の乱反射等を利用して煙の発生を検知し警告を出力する。
【００２１】
部屋Ｒ１には、除菌装置の二流体ノズルＮ１，Ｎ２が配置される。また、部屋Ｒ２には、除菌装置の二流体ノズルＮ３，Ｎ４，Ｎ５が配置される。これら二流体ノズルＮ１〜Ｎ５は、その噴霧口が火災報知器Ａ１，Ａ２よりも下方となる高さで、天井から吊り下げられている。各二流体ノズルＮ１〜Ｎ５は、矢印に示す方向に液体を噴霧する。
【００２２】
＜除菌装置３０の制御＞
図３を用いて、除菌装置３０の制御を説明する。除菌装置３０は、制御ユニット５０を備えている。制御ユニット５０は、部屋Ｒ１〜Ｒ３内の加湿と除菌とを制御する。
【００２３】
制御ユニット５０には、湿度センサＭ１，Ｍ２が検出した湿度と、部屋Ｒ１，Ｒ２に設けられた人感センサ６０からの信号とが供給される。この制御ユニット５０は、各空気供給バルブＶ１〜Ｖ５、気体液体切替バルブ４３、バルブ４７，４８、気体供給バルブ３６に制御信号を供給し、これらバルブ（Ｖ１〜Ｖ５，４３，４７，４８）の切り替えを行なう。更に、制御ユニット５０は、コンプレッサＣ１の起動及び停止を制御する。
【００２４】
制御ユニット５０には、操作部６１及び表示部６２が接続される。操作部６１及び表示部６２は、タッチパネルである。表示部６２には、加湿や除菌の手動による開始や停止、現在の湿度等を表示する。操作部６１は、加湿や除菌の停止や、加湿における設定湿度の変更操作を行なうために用いられる。
【００２５】
制御ユニット５０は、加湿制御部５１、除菌制御部５２及び除菌条件記憶部５５を備えている。
加湿制御部５１は、水を噴霧して加湿処理を実行する。この加湿制御部５１は、設定湿度を記憶している。この設定湿度として、例えば、５０％ＲＨを用いる。加湿制御部５１は、部屋Ｒ１〜Ｒ３内の湿度が設定湿度となるように、二流体ノズルＮ１〜Ｎ５から水を噴霧して、部屋Ｒ１〜Ｒ３の加湿を行なう。また、加湿制御部５１は、操作部６１からの操作に応じて、設定湿度を変更する。
【００２６】
除菌制御部５２は、薬液噴霧段階、保持段階、パージ段階を実行する。薬液噴霧段階では、薬液を噴霧し、保持段階では、薬液の噴霧を停止してその状態を保持し、パージ段階では、薬液を配管から排出する。
【００２７】
除菌制御部５２は、保持段階を実行する時間（保持時間）と、パージ段階を実行する時間（パージ時間）とをそれぞれ記憶している。本実施形態では、保持時間として７分、パージ時間として１５分を用いる。パージ段階において薬液を噴霧した場合、部屋Ｒ１，Ｒ２の湿度が上昇する。この場合においても、部屋Ｒ１，Ｒ２の湿度が、基準値以上とならないように相対湿度を下げる時間として保持時間が決定される。本実施形態では、基準値として８５％ＲＨを用いる。この基準値より、部屋Ｒ１〜Ｒ３内の相対湿度が低い場合には、火災報知器Ａ１，Ａ２は警報を出力しない。
【００２８】
図４は、噴霧開始からの時間と相対湿度との関係を示したグラフである。このグラフでは、薬液噴霧は１１分、保持時間は７分、パージ時間は１５分としている。このグラフに示すように、薬液噴霧によって相対湿度は上昇し、部屋Ｒ１〜Ｒ３内を除菌できる相対湿度（７０％ＲＨ）を超えて、その後、相対湿度は低下する。パージ段階においては再び相対湿度が上昇する。そして、パージ段階において、相対湿度は、再び上昇した後で低下する。ここで、保持時間を長くすることにより、パージ段階の相対湿度のピーク値を低下させる。本実施形態では、７分の保持時間で、パージ段階のピーク値が８５％ＲＨより低くすることができる。
【００２９】
本実施形態の除菌制御部５２は、除菌条件記憶部５５に記憶された除菌条件を用いて、薬液噴霧を行なう。
図５に示すように、除菌条件記憶部５５は、除菌条件を記憶している。この除菌条件は、除菌開始時の湿度と、部屋Ｒ１，Ｒ２とによって異なる。本実施形態では、春、秋及び冬のように、除菌開始時の湿度が６０％ＲＨ（相対湿度６０％）以下の場合には、湿度制御を行ない、夏のように除菌開始時の湿度が６０％ＲＨを超える場合には、タイマ制御を行なう。湿度制御の場合には、部屋Ｒ１，Ｒ２毎の目標相対湿度となるまで、薬液を噴霧する。湿度センサＭ１，Ｍ２の湿度が目標相対湿度に到達して超えた場合、すぐに噴霧を停止しても、部屋Ｒ１〜Ｒ３の湿度は上昇し、噴霧後の相対湿度が７０％以上となって除菌を行なうことができる。タイマ制御の場合には、予め定めた薬液噴霧時間中、薬液を噴霧する。本実施形態では、部屋Ｒ１，Ｒ２の湿度制御における目標相対湿度は、それぞれ６８％ＲＨ、７７％ＲＨ、部屋Ｒ１，Ｒ２のタイマ制御における薬液噴霧時間は、それぞれ１２分、１４分に設定される。
【００３０】
次に、図６及び図７を用いて、本実施形態の除菌装置を用いた処理について説明する。本実施形態では、部屋Ｒ１〜Ｒ３に対して、昼間に人がいる時間には、乾燥を回避するために、加湿制御を行ない、夜中の除菌開始時刻に除菌制御処理を実行する。本実施形態では、ドアＤ１，Ｄ２を閉鎖し、ドアＤ３，Ｄ４を開放することにより、部屋Ｒ１，Ｒ２だけでなく、部屋Ｒ３についても加湿及び除菌を行なう。
【００３１】
＜加湿制御処理＞
図６に示すように、昼間、制御ユニット５０は、部屋Ｒ１，Ｒ２の湿度に基づいて、加湿制御処理を実行する（ステップＳ１）。具体的には、制御ユニット５０の加湿制御部５１は、湿度センサＭ１，Ｍ２からの湿度を取得する。加湿制御部５１は、取得した湿度が、設定湿度より低い場合には、加湿を行なう。
【００３２】
この場合、図７（ａ）に示すように、制御ユニット５０の加湿制御部５１は、コンプレッサＣ１を起動し、各空気供給バルブＶ１〜Ｖ５の切替操作により気体供給管３１と接続させて、圧縮空気を各二流体ノズルＮ１〜Ｎ５に供給する。
【００３３】
また、加湿制御部５１は、バルブ４７の開操作とバルブ４８の閉操作とを行なって、気体液体切替バルブ４３に、水道管Ｗ１からの水を供給する。更に、加湿制御部５１は、気体液体切替バルブ４３の切替操作により、流体供給管４１と接続管４４とを連通する。
以上により、各二流体ノズルＮ１〜Ｎ５には、圧縮空気及び水が供給され、部屋Ｒ１〜Ｒ３に水が噴霧されて、部屋Ｒ１〜Ｒ３の湿度が上昇する。
【００３４】
そして、部屋Ｒ１〜Ｒ３の湿度が設定湿度となった場合、制御ユニット５０の加湿制御部５１は、加湿を停止する。具体的には、加湿制御部５１は、気体液体切替バルブ４３及び空気供給バルブＶ１〜Ｖ５の切替操作により二流体ノズルＮ１〜Ｎ５側を開放し、コンプレッサＣ１を停止させる。これにより、各二流体ノズルＮ１〜Ｎ５には、水道水と圧縮空気との供給が停止され、加湿が停止される。
【００３５】
＜除菌制御処理＞
その後、図６に示すように、除菌開始時刻になった場合（ステップＳ２において「ＹＥＳ」の場合）、除菌制御部５２は、開始時湿度の取得処理を実行する（ステップＳ３）。具体的には、まず、除菌制御部５２は、人感センサ６０からの信号に基づいて、部屋Ｒ１〜Ｒ３に人がいないかどかを判定する。部屋Ｒ１〜Ｒ３に人がいないと判定した場合、除菌制御部５２は、湿度センサＭ１，Ｍ２の湿度を取得する。
【００３６】
次に、除菌制御部５２は、取得した開始時湿度が６０％ＲＨ以下かどうかの判定処理を実行する（ステップＳ４）。ここで、湿度センサＭ１，Ｍ２が６０％ＲＨ以下の場合（ステップＳ４において「ＹＥＳ」の場合）には、湿度制御処理を実行する。
【００３７】
具体的には、図７（ｂ）に示すように、この湿度制御処理において、除菌制御部５２は、コンプレッサＣ１を起動し、各空気供給バルブＶ１〜Ｖ５の切替操作により気体供給管３１と接続させて、圧縮空気を各二流体ノズルＮ１〜Ｎ５に供給する。
【００３８】
また、除菌制御部５２は、気体供給バルブ３６の開操作により、圧縮空気を薬液タンクＴｃ１に供給し、薬液に圧力を加える。そして、除菌制御部５２は、バルブ４７の閉操作、バルブ４８の開操作を行なう。更に、除菌制御部５２は、気体液体切替バルブ４３の切替操作により、流体供給管４１と接続管４４とを接続させて、薬液タンクＴｃ１からの薬液を供給する。
【００３９】
以上により、各二流体ノズルＮ１〜Ｎ５には、薬液と圧縮空気とが供給され、部屋Ｒ１，Ｒ２に薬液が噴霧される（ステップＳ５）。そして、薬液の噴霧によって、部屋Ｒ１〜Ｒ３の相対湿度が上昇する。
そして、湿度センサＭ１，Ｍ２からの検出湿度が、目標相対湿度を超えない場合（ステップＳ６において「ＮＯ」の場合）、除菌制御部５２は、薬液を噴霧し続ける。
【００４０】
一方、除菌制御部５２は、取得した開始時湿度が６０％ＲＨを超えていた場合（ステップＳ４において「ＮＯ」の場合）には、タイマ制御処理を実行する。
【００４１】
このタイマ制御処理において、除菌制御部５２は、湿度制御処理と同様に、コンプレッサＣ１を起動し、各空気供給バルブＶ１〜Ｖ５の切替操作により気体供給管３１と接続させる。更に、除菌制御部５２は、バルブ４７の閉操作、バルブ４８の開操作、気体液体切替バルブ４３の切替操作を行なう。これにより、各二流体ノズルＮ１〜Ｎ５には、薬液と圧縮空気とが供給され、薬液が、部屋Ｒ１〜Ｒ３に噴霧される（ステップＳ７）。
そして、噴霧開始時から噴霧時間が経過するまで（ステップＳ８において「ＮＯ」の場合）、除菌制御部５２は、薬液を噴霧し続ける。
【００４２】
その後、湿度制御処理において、目標相対湿度を超えた場合、又は、タイマ制御処理において噴霧時間が経過した場合（ステップＳ６，Ｓ８において「ＹＥＳ」の場合）、除菌制御部５２は、保持処理を実行する（ステップＳ９）。
【００４３】
具体的には、除菌制御部５２は、バルブ４７，４８の閉操作により、気体液体切替バルブ４３への液体供給を停止する。更に、除菌制御部５２は、各空気供給バルブＶ１〜Ｖ５の切替操作により、各二流体ノズルＮ１〜Ｎ５への圧縮空気の供給を停止し、コンプレッサＣ１を停止する。
以上により、各二流体ノズルＮ１〜Ｎ５には、液体及び圧縮空気の供給が停止し、各二流体ノズルＮ１〜Ｎ５からの噴霧が停止される。そして、この噴霧を停止した状態を、保持時間が経過するまで維持する。
【００４４】
保持時間が経過した場合、除菌制御部５２は、パージ処理を実行する（ステップＳ１０）。
具体的には、図７（ｃ）に示すように、除菌制御部５２は、コンプレッサＣ１を起動し、各空気供給バルブＶ１〜Ｖ５の切替操作により、圧縮空気を各二流体ノズルＮ１〜Ｎ５に供給する。更に、除菌制御部５２は、気体液体切替バルブ４３の切替操作により、流体供給管４１と気体供給管３５とを連通する。なお、この場合、バルブ４７，４８及び気体供給バルブ３６は閉操作されている。
以上により、流体供給管４１に圧縮空気が供給されて、流体供給管４１内に残留した薬液を、二流体ノズルＮ１〜Ｎ５から噴霧する。
【００４５】
そして、パージ処理の開始後、パージ時間が経過した場合、除菌制御部５２は、各空気供給バルブＶ１〜Ｖ５の切替操作により二流体ノズルＮ１〜Ｎ５側を開放し、コンプレッサＣ１を停止する。これにより、二流体ノズルＮ１〜Ｎ５には、圧縮空気が供給されず、二流体ノズルＮ１〜Ｎ５からの噴霧が終了する。
以上により、除菌制御処理が終了し、次の加湿制御処理（ステップＳ１）に備える。
【００４６】
本実施形態によれば、以下のような効果を得ることができる。
（１）本実施形態の除菌装置３０の二流体ノズルＮ１〜Ｎ５は、圧縮空気を用いて、水供給管４５から供給される水を噴霧して、部屋Ｒ１〜Ｒ３を加湿し、薬液供給管４６から供給される薬液を噴霧して、部屋Ｒ１〜Ｒ３を除菌する。これにより、加湿と除菌とを、同じ二流体ノズルＮ１〜Ｎ５を用いて行なうことができる。
【００４７】
（２）本実施形態の除菌装置３０では、二流体ノズルＮ１〜Ｎ５に接続される流体供給管４１に、バルブ４７，４８を介して、水供給管４５及び薬液供給管４６を接続する。これにより、流体供給管４１を用いて、水及び薬液を供給できる。特に、二流体ノズルＮ１〜Ｎ５の設置場所と、水道管Ｗ１や薬液タンクＴｃ１が離れている場合、配管数を削減することができる。
【００４８】
（３）本実施形態では、薬液の噴霧（ステップＳ５，Ｓ７）後、加湿制御処理（ステップＳ１）の前に、パージ処理（ステップＳ１０）を実行する。これにより、流体供給管４１に残留した薬液を排出することができる。
【００４９】
（４）本実施形態では、パージ処理（ステップＳ１０）において、二流体ノズルＮ１〜Ｎ５に接続される流体供給管４１に圧縮空気を供給する。これにより、流体供給管４１に残留した薬液を迅速に排出することができる。
【００５０】
（５）本実施形態では、薬液の噴霧（ステップＳ５，Ｓ７）後、パージ処理（ステップＳ１０）の前に、保持処理（ステップＳ９）を実行する。これにより、パージ処理（ステップＳ１０）において、湿度の上昇を抑制することができる。例えば、高湿度に基づく火災報知器Ａ１，Ａ２の警報出力を抑制することができる。更に、パージ処理（ステップＳ１０）における最高湿度を、除菌が行なわれる湿度（７０％ＲＨ）以上にすることもできる。
【００５１】
また、本実施形態は、以下のように変更してもよい。
・上記実施形態においては、薬液噴霧後の保持処理における保持時間を７分とした。保持時間は、これに限られず、殺菌する部屋の大きさや薬液量等によって変更してもよい。また、保持処理において検出された湿度に基づいてパージ処理を開始してもよい。具体的には、制御ユニット５０の除菌制御部５２は、パージを開始する予め定めた相対湿度（パージ開始湿度）を記憶しておく。そして、除菌制御部５２は、保持処理において、湿度センサＭ１，Ｍ２からの検出湿度が、パージ開始湿度を下回った場合に、パージ処理を開始する。
【００５２】
・上記実施形態においては、パージ処理（ステップＳ９）において、流体供給管４１に、気体供給管３５から圧縮空気を供給して、流体供給管４１に残留した薬液を排出した。流体供給管４１に残留した薬液を排出するために用いる流体は、圧縮空気に限られず、水であってもよい。
【００５３】
・上記実施形態においては、制御ユニット５０は、人感センサ６０からの信号に基づいて、部屋Ｒ１〜Ｒ３に人がいないことを確認した後に、薬液を噴霧する。薬液の噴霧前に人がいないことの確認は、人感センサ６０からの信号に限られず、例えば、ドアＤ１，Ｄ２の開閉や部屋Ｒ１〜Ｒ３の照明の消灯に基づいて行なってもよい。
【００５４】
また、薬液の噴霧中に、人感センサ６０やドアセンサにより、人の侵入を検知した場合、薬液噴霧を停止してもよい。そして、薬液噴霧の停止後、人感センサ６０によって人の不在を検知した場合には、停止していた薬液噴霧を再開する。この場合、湿度センサＭ１，Ｍ２の湿度を取得し、湿度制御の場合には、目標相対湿度に達するまで噴霧を行ない、タイマ制御の場合には、薬液噴霧の残り時間の再噴霧を行なう。
【００５５】
・上記実施形態においては、加湿用液体として水道水を用いた。加湿に用いる液体は、水道水に限らない。例えば、人に影響を与えない低濃度の除菌液や、アロマ水等の香りが付いた液体を用いてもよい。
【００５６】
・上記実施形態においては、制御ユニット５０が、除菌開始時刻になった場合に、薬液噴霧処理、保持処理及びパージ処理を実行した。薬液噴霧の開始、薬液噴霧の制御（湿度制御やタイマ制御）の選択、薬液噴霧の時間、保持時間及びパージ時間の設定等は、人の操作によって行なってもよい。
【符号の説明】
【００５７】
Ａ１，Ａ２…火災報知器、Ｃ１…コンプレッサ、Ｄ１，Ｄ２，Ｄ３，Ｄ４…ドア、Ｍ１，Ｍ２…湿度センサ、Ｎ１，Ｎ２，Ｎ３，Ｎ４，Ｎ５…二流体ノズル、Ｒ１，Ｒ２，Ｒ３…部屋、Ｗ１…水道管、Ｔａ１…空気タンク、Ｖ１，Ｖ５：空気供給バルブ、３０…除菌装置、３１，３５…気体供給管、３６…気体供給バルブ、４１…流体供給管、４３…気体液体切替バルブ、４４…接続管、４５…水供給管、４６…薬液供給管、４７，４８…バルブ、４９…排液バルブ、５０…制御ユニット、５１…加湿制御部、５２…除菌制御部、５５…除菌条件記憶部、６０…人感センサ、６１…操作部、６２…表示部。
【図１】
2019088390.tif 000003
【図２】
2019088390.tif 000004
【図３】
2019088390.tif 000005
【図４】
2019088390.tif 000006
【図５】
2019088390.tif 000007
【図６】
2019088390.tif 000008
【図７】
2019088390.tif 000009